(57)【特許請求の範囲】
【請求項１】
インセット引き戸またはアウトセット引き戸からなる引き戸と、該引き戸と近接する壁側面との間で施解錠する引き戸用のロック装置であって、前記引き戸と前記壁側面のいずれか一方に設けられる第１の係合部材と、前記引き戸と前記壁側面の他方で、前記第１の係合部材と対向する部分に設けられる第２の係合部材とを有し、
前記第１の係合部材は、上面が開放された第１の箱体、該第１の箱体内に設けられる台座に取り付けられ、該台座が外力により前記第１の箱体内をスライドすることで、前記第１の箱体から外部への突出および第１の箱体内への収納を自在に行い得るように設けられるシャフト、および、前記第１の箱体の上面に設けられ、前記シャフトの突起部を貫通し得る貫通孔が設けられた第１の天板を有する構造であり、
前記第２の係合部材は、前記第１の係合部材の突起部と嵌合し得る嵌合孔を有する第２の天板、および該第２の天板が上面に設けられ、前記突起部を収納し得るケースを有する構造であり、
前記引き戸が前記インセット引き戸の場合は、該インセット引き戸に前記第１の係合部材が前記引き戸に形成される貫通孔内に装着され、前記第２の係合部材が前記壁側面に取り付けられ、前記引き戸が前記アウトセット引き戸の場合は、前記第１の係合部材が前記壁側面に取り付けられ、前記第２の係合部材が前記引き戸に形成される貫通孔内に装着され、前記第１の係合部材の突起部を突出させることにより、前記第２の天板の嵌合孔と前記突起部とを係止する構造で、引き戸の内側から施錠することができる引き戸用のロック装置。
【請求項２】
前記ケースの前記第２の天板と反対側に、前記第１の係合部材の突起部が前記ケース内に挿入されたときに、該突起部の挿入を示す表示部が設けられてなる請求項１記載の引き戸用のロック装置。
【請求項３】
前記第１の係合部材は前記シャフトと解錠部材とを有し、前記シャフトは台座上に前記突起部が固定され、外力により該台座を前記第１の箱体内で摺動させることにより前記突起部の突出および収納を行うように形成され、前記解錠部材は、前記台座と並置して第２の箱体内に設けられており、前記台座と前記解錠部材とがシーソー運動をすることができるように中心部が支持されたシーソー部材の両端部に係合され、押圧力のみで前記シャフトの突出および収納を行うことができるように形成されてなる請求項１または２記載の引き戸用のロック装置。
【請求項４】
前記第２の係合部材は前記ケース内に回転体を有し、該回転体は、円の中心部に回転軸が設けられた半円状の半円板で回転自在に設けられ、前記第１の係合部材の突起部が前記ケース内に突入する際に該突起部により前記回転体が回転するように形成され、前記ケースの前記第２の天板とは反対側の底板には該回転体の周縁部が見える窓部が形成され、かつ、前記回転体の周縁部には、該回転体が前記突起部により押される前の状態と、該突起部により押されて回転した状態を識別し得る表示部が設けられてなる請求項１ないし３のいずれか１項記載の引き戸用のロック装置。
【請求項５】
前記回転体は、前記第１の係合部材の前記突起部と対向する部分に間隙部を有するように２枚に分割され、該間隙部と対向する位置の前記底板に貫通孔が形成されてなる請求項４記載の引き戸用のロック装置。
【発明の詳細な説明】
【技術分野】
【０００１】
本発明は、マンションなどの隣接する部屋を壁、仕切りなどに設けられた単なる開口部に引き戸を外側または内側に設置した場合、そのような引き戸を簡単な構造でロックする引き戸用のロック装置に関する。さらに詳しくは、リフォームなどで既存の建築物でも簡単に取り付けることができると共に、内部に浴場の更衣室や洗面所などがある場合に、内部から簡単にロックすることができ、また、内部に人が入っているか否かを外側（たとえば廊下側）から認識することができる表示器および非常解錠手段をも具備した簡単な構造で使用用途の多い引き戸用のロック装置に関する。
【背景技術】
【０００２】
近年のマンションなどでは、空間利用の効率化に伴い、たとえば台所とリビングの境界や、廊下と洗面所や浴場の更衣室などの境界の一部に壁を形成しないで、各部屋を完全には個室化しないという傾向が強くなっている。しかし、ユーザによってはその境界にドアを設けてプライバシーを守りたいという要望は根強い。そのため、新築時のオプションやリフォームによりドアを設けるという要望が強いが、その壁と壁との間にドアや引き戸を設けるためには、その壁と壁との間の空間に枠を形成して２枚の引き戸を設けるか、一端を支点とした回転ドアとする必要がある。しかし、枠体を設けて２枚の引き戸を引き違いになるように形成したり、ノブ式のドアを形成したりすることは、元々コストも高く、空間利用上好ましくないため形成されていないもので、実用的ではない。
【０００３】
そこで、たとえば洗面所と廊下との間での壁面間の開口部を覆うために、その壁に沿って内側（洗面所側）または外側（廊下側）にレールを設けて引き戸をスライドできるようにし、壁と壁との間の開口部を引き戸でカバーすることが行われている。この場合、内部で洗面所などの使用をしているとき、他人に入られたくないというような場合もあり、施錠したいという要望があるが、引き戸は１枚だけであり、相手は壁であるため、ロック装置を取り付けにくい。なお、引き戸が壁面に関して内側（洗面所側）に設けられる場合をインセット引き戸といい、壁面の外側（廊下側）に設けられる場合をアウトセット引き戸という。
【０００４】
このようなアウトセット引き戸で、枠体にロックする例として、たとえば図７に示されるような構造が知られている（たとえば特許文献１参照）。この構造では、引き戸５１に貫通孔を開けてその中にシーソー式に出没自在にストッパ５３が収容され、そのストッパ５３が外側に突出するようにバネ５４で付勢させ、枠体５２（壁の側面）に施錠することができるようになっている。
【先行技術文献】
【特許文献】
【０００５】
【特許文献１】特開２００６−２９９６７９号公報
【発明の概要】
【発明が解決しようとする課題】
【０００６】
前述のようなロック装置では、図７で、引き戸５１の左側端に柱などがあれば引き戸５１は固定されるが、左側端に柱や枠体がない場合（フリーになっている場合）には、引き戸をしっかりと固定することができない。また、この構造は、アウトセット引き戸には適用できるが、インセット引き戸には適用することができないという問題がある。
【０００７】
本発明は、このような状況に鑑みてなされたもので、インセット引き戸でも、アウトセット引き戸でも、どちらの引き戸にも同様に取り付けることができ、かつ、引き戸の一端側に固定する枠体や柱などが無くても、簡単な構造で、引き戸を完全にロックすることができる引き戸用のロック装置を提供することを目的としている。
【課題を解決するための手段】
【０００８】
本発明の引き戸用のロック装置は、インセット引き戸またはアウトセット引き戸からなる引き戸と、該引き戸と近接する壁側面との間で施解錠する引き戸用のロック装置であって、前記引き戸と前記壁側面のいずれか一方に設けられる第１の係合部材と、前記引き戸と前記壁側面の他方で、前記第１の係合部材と対向する部分に設けられる第２の係合部材とを有し、前記第１の係合部材は、上面が開放された第１の箱体、該第１の箱体内に設けられる台座に取り付けられ、該台座が外力により前記第１の箱体内をスライドさせることで、前記第１の箱体から外部への突出および第１の箱体内への収納を自在に行い得るように設けられるシャフト、および、前記第１の箱体の上面に設けられ、前記シャフトの突起部を貫通し得る貫通孔が設けられた第１の天板を有する構造であり、前記第２の係合部材は、前記第１の係合部材の突起部と嵌合し得る嵌合孔を有する第２の天板、および該第２の天板が上面に設けられ、前記突起部を収納し得るケースを有する構造であり、前記引き戸が前記インセット引き戸の場合は、該インセット引き戸に前記第１の係合部材が前記引き戸に形成される貫通孔内に装着され、前記第２の係合部材が前記壁側面に取り付けられ、前記引き戸が前記アウトセット引き戸の場合は、前記第１の係合部材が前記壁側面に取り付けられ、前記第２の係合部材が前記引き戸に形成される貫通孔内に装着され、前記第１の係合部材の突起部を突出させることにより、前記第２の天板の嵌合孔と前記突起部とを係止する構造で、引き戸の内側から施錠することができる。
【０００９】
なお、壁側面とは、壁直接ではなく、枠体などが設けられている場合にはその枠体の側面を意味し、また、柱などが壁の開口部側に設けられている場合には、その柱などの側面を意味し、要は、壁と開口部との境界面を意味している。また、上面とか天板というのは、便宜上シャフトの突起部が突出する方向を上方としているだけで、その場合反対方向を底面または底板と呼んでいるが、上下方向を逆に定義することができることはいうまでもない。
【００１０】
前記ケースの前記第２の天板と反対側に、前記第１の係合部材の突起部が前記ケース内に挿入されたときに、該突起部の挿入を示す表示部が設けられることにより、外部から誰かが入っているか否かを容易に認識することができるため好ましい。
【００１１】
前記第１の係合部材は前記シャフトと解錠部材とを有し、前記シャフトは台座上に前記突起部が固定され、外力により該台座を前記第１の箱体内で摺動させることにより前記突起部の突出および収納を行うように形成され、前記解錠部材は、前記台座と並置して第２の箱体内に設けられており、前記台座と前記解錠部材とがシーソー運動をすることができるように中心部が支持されたシーソー部材の両端部に係合され、押圧力のみで前記シャフトの突出および収納を行うことができるように形成されることにより、押圧力のみで施錠および解錠を行うことができるため使用しやすいという点で好ましい。
【００１２】
前記第２の係合部材は前記ケース内に回転体を有し、該回転体は、円の中心部に回転軸が設けられた半円状の半円板で回転自在に設けられ、前記第１の係合部材の突起部が前記ケース内に突入する際に該突起部により前記回転体が回転するように形成され、前記ケースの前記第２の天板とは反対側の底板には該回転体の周縁部が見える窓部が形成され、かつ、前記回転体の周縁部には、該回転体が前記突起部により押される前の状態と、該突起部により押されて回転した状態とを識別し得る表示部が設けられる構造にすることができる。
【００１３】
前記回転体は、前記第１の係合部材の前記突起部と対向する部分に間隙部を有するように２枚に分割され、該間隙部と対向する位置の前記第２の係合部材の底板に貫通孔が形成されていることにより、内部でロックした状態で非常時が発生した場合でも、その貫通孔からピンを差し込むことにより、施錠状態を解除することができる。
【００１４】
具体的には、前記引き戸がインセット引き戸であり、該引き戸に前記第１の係合部材が取り付けられ、前記壁側面に前記第２の係合部材が取り付けられる構造にでき、前記引き戸がアウトセット引き戸であり、該引き戸に前記第２の係合部材が取り付けられ、前記壁側面に前記第１の係合部材が取り付けられる構造にすることができる。
【発明の効果】
【００１５】
本発明のロック装置によれば、マンションなどの構造により、インセット引き戸かアウトセット引き戸のいずれかしか設けられない構造でも、また、インセット引き戸などを片側で柱などにより固定することなく、完全にフリーの状態で開閉する場合でも、引き戸を閉めてロック（施錠）する場合に、確実に内部からロックすることができる。
【００１６】
また、第２の係合部材の露出面に施錠がされているか否かの表示部が設けられることにより、外部から見て直ちに内部に人がいるか否かを認識することができるため、好ましい。さらに、第２の係合部材に施錠を解除するための貫通孔（透し孔）が形成されていることにより、非常事態が発生しても、外部から簡単にロック状態を解除することができる。
【００１７】
さらに、第１の係合部材に解錠部材が設けられ、シャフトの突起部を支持する台座と解錠部材とがシーソー運動をするようにシーソー部材により係合されていることにより、台座を押せばシャフトの突起部が第２の係合部材の中に押し出されて施錠され、解錠部材を押せばシーソー運動により台座が下がって突起部は第２の係合部材から抜け出て解錠することができ、押圧動作のみで、施錠と解錠を行うことができるため、非常に簡単に操作することができる。
【図面の簡単な説明】
【００１８】
【図１】引き戸と壁側面に本発明のロック装置を取り付けた状態の平面説明図である。
【図２】図１のII−II線の縦断面説明図で、本発明のロック装置の一実施形態である第１の係合部材を引き戸に取り付け、第２の係合部材を壁側面に取り付けた状態を示す図である。
【図３】図２に示される第１の係合部材１０の斜視説明図および底面図である。
【図４】図２に示されるロック装置で施錠していない状態と施錠している状態を示す断面説明図である。
【図５】図２に示されるロック装置で施錠していない状態と施錠している状態を示す斜視説明図である。
【図６】図２に示される第２の係合部材の底板側から見た表示部を示す図である。
【図７】従来のアウトセット引き戸用のロック装置の一例を示す説明図である。
【発明を実施するための形態】
【００１９】
つぎに、図面を参照しながら本発明の引き戸用のロック装置について、図面を参照しながら説明をする。本発明によるインセット引き戸用のロック装置は、図１に示されるように、壁３２の内側（たとえば洗面所側）に引き戸が設けられるインセット引き戸３１と、その引き戸３１と近接する壁３２の壁側面３２ａとの間で施錠するもので、図１に示される例では、引き戸３１に第１の係合部材１０が設けられ、壁側面３２ａで、第１の係合部材１０と対向する部分に第２の係合部材２０が設けられている。この第１の係合部材１０は、図２および図３に示されるように、上面が開放された第１の箱体１２と、第１の箱体１２内に設けられ、外力により第１の箱体１２から外部への突出および収納を自在に行い得るように設けられるシャフト１３と、第１の箱体１２の上面に設けられ、シャフト１３の突起部１３ａを貫通し得る貫通孔１１ａが設けられた第１の天板１１とを有している。そして、第２の係合部材２０は、第１の係合部材１０の突起部１３ａと嵌合し得る嵌合孔２１ａを有する第２の天板２１と、第２の天板２１が上面に設けられ、突起部１３ａを収納し得るケース２２とを有している。そして、第１の係合部材１０の突起部１３ａを突出させることにより、第２の天板２１の嵌合孔２１ａと突起部１３ａとを係止する構造である。
【００２０】
第１の係合部材１０は、図２および図３に示される例では、シャフト１３部分だけではなく、突起部１３ａを引っ込める際に、突出させる場合と同様の押圧力のみで突起部１３ａを引っ込めるようにするため、第１の箱体１２と隣接してもう一つの第２の箱体１４が設けられ、その第２の箱体１４内に解錠部材１５が設けられている。この場合、第１の箱体１２と第２の箱体１４とを一体で形成することもできる。
【００２１】
シャフト１３は、図３に示されるように、たとえば台座１３ｃ上に棒状の突起部１３ａが設けられている。図２および図３に示される例では、この突起部１３ａと並列して板状の肩部１３ｂとが一体に形成されているが肩部１３ｂはなくてもよい。突起部１３ａの長さは、ドアの厚さや引き戸３１と壁３２との間隔などにより異なるが、たとえば２０〜３０ｍｍ程度の長さに形成され、この突起部１３ａの先端と肩部１３ｂとの段差は、たとえば１０〜１５ｍｍ程度に形成される。
【００２２】
台座１３ｃは、突起部１３ａを第１の箱体１２内でガイドしながら、突起部１３ａを突出させたり引っ込めたりする操作部としても機能する。そのため、この台座１３ｃは図３（ｂ）に底面図が示されるように、第１の箱体１２の底板１２ａから露出するように設けられ、この台座１３ｃに押圧力を加えれば、台座１３ｃが押し上げられ、突起部１３ａは第１の天板１１の貫通孔１１ａから突出する。そのため、この突起部１３ａが突出する側に第２の係合部材２０が配置されていれば、その第２の天板２１の嵌合孔２１ａに係止して施錠される。
【００２３】
この台座１３ｃの裏側にツマミなどを付けておいて引っ張れば、突起部１３ａを引き戻すことができ、解錠することができるが、前述のように、図２〜３に示される例では、解錠部材１５が設けられており、台座１３ｃと解錠部材１５とがシーソー部材１６の両端に係合しているため、突起部１３ａが突出している、すなわち台座１３ｃが押された状態では、解錠部材１５は底板１２ａ側にあり、解錠部材１５を押し込めばシーソー部材１６により台座１３ｃが下がり、突起部１３ａは第１の箱体１２内に収納されて解錠される。この台座１３ｃには、第１の箱体１２内をガイドするように、対向する側壁に凸部１３ｄが形成され、第１の箱体１２に形成された溝１２ｂ（図３参照）に沿って移動し、また、その側壁と９０°ずれた側壁には、シーソー部材１６を係合する凸部１３ｅ（図３参照）が設けられ、シーソー部材１６の移動により生じる凸部１３ｅの移動をガイドする溝１２ｃ（図３参照）が形成されている。また、解錠部材１５にも、シーソー部材１６と係合する凸部１５ｅが設けられ、第２の箱体１４にも溝１４ｃが形成され、解錠部材１５をガイドするための凸部１５ｄおよび第２の箱体１４にガイド溝１４ｂが形成されている。
【００２４】
第１の箱体１２は、台座１３ｃの上下方向移動のガイドとして設けられており、その底面には、底板１２ａが一体に形成されており、取付板として機能している。この底板１２ａは、前述のように、台座１３ｃおよび解錠部材１５が露出するように孔が開けられている。
【００２５】
前述のように、第１の天板１１には貫通孔１１ａが形成されている。図２〜３に示される例では、シャフト１３に、突起部１３ａの他に肩部１３ｂが形成されているため、その両方が貫通するように一方が長径の楕円形に形成されているが、突起部１３ａだけを貫通させるのであれば、突起部１３ａの外形に合った形状で形成されればよい。
【００２６】
第２の係合部材２０は、図２および図４〜６に示されるように、第１の係合部材１０の突起部１３ａと係止するように、嵌合孔２１ａが形成された（図に示される例では、突起部１３ａの他に肩部１３ｂも嵌合孔２１ａと係止するように形成されているため楕円形状に形成されている）第２の天板２１と、その第２の天板２１により上面が被覆されるケース２２とからなっており、ケース２２内には、突起部１３ａの突出により、回転するように取り付けられた半円形状の回転体２３が設けられている。
【００２７】
回転体２３は図５（ａ）に斜視図が示されるように、円の中心部に回転軸２３ａが設けられた半円状の半円板で回転自在にケース２２の対向する側壁に設けられている。この回転体２３は、半円形状であるため、自重により凸部２３ｂが下になって安定するが、この実施形態では、回転軸２３ａと第２の天板２１との距離が回転体２３の半径よりも小さくしてあるため、第２の天板２１に当って止まり、回転体２３の直径部分である平面部分が完全には水平位置にはならないで静止している（図５（ａ）参照）。そのため、第１の係合部材１０の突起部１３ａが挿入されると、この回転体２３平面部分に当って押されることにより、回転軸２３ａを中心にして回転し、円弧部分（周縁部）が上方に持ち上がる（図５（ｂ）参照）。このような突起部１３ａがケース２２内に挿入された状態では、突起部１３ａと第２の天板２１に形成された嵌合孔２１ａとが係止され、引き戸３１はどちらにも動くことができず、施錠される。
【００２８】
回転体２３は、このように半円形部分と回転軸２３ａを設けるため、回転軸２３ａの挿入部分が形成された一体形状のものをプラスティックの成形体などにより形成することができる。そして、金属棒などの回転軸２３ａを挿入して固定することにより形成することができる。図５に示される例では、この回転体２３が１枚の半円形板ではなく、厚さ方向の中心部に間隙部が形成され、２枚の円形板２３１、２３２により形成されている。このように、回転体２３を２枚に分割してその厚さ方向の中心部に間隙部を形成することにより、中心部に挿入される突起部１３ａの前方に障害物がなくなるため、その突起部１３ａと対向するケース２２の底板２２ａに貫通孔２２ｃ（図６参照）を形成しておくことにより、その貫通孔２２ｃを介して細い棒により突起部１３ａを押すことができ、非常時に外部から解錠することができる。
【００２９】
この回転体２３には、さらに、図５に示されるように、その円周に沿った周縁部（外周面）に表示部２３ｃ、２３ｄが形成されている。この表示部２３ｃ、２３ｄは、たとえば青色表示部２３ｃと赤色表示部２３ｄのように、単純な色彩表示でもよいし、「出」、「入」などの文字表示でもよく、両者を区別できる表示方法であれば、何でも構わない。このような表示部２３ｃ、２３ｄを形成しておき、外部（第２の天板２１とは反対側の底板２２ａ側）から回転体２３の周縁部が見えるように底板２２ａに窓部２２ｂを形成しておけば、たとえば図５（ａ）に示されるように、突起部１３ａがケース２２内に挿入されていないときは、回転体２３の半円形部分が下に下がって回転体２３の周縁部の上端部が窓部２２ｂから見えるため、青色表示部２３ｃが認識され（図６（ａ）参照）、ロックされていないことが認識される。また、図５（ｂ）に示されるように、突起部１３ａが挿入されたときは、回転体２３が押されて回転軸２３ａを中心として回転し、周縁部の中ほどに表示された赤色表示部２３ｄが窓部２２ｂから認識され（図６（ｂ）参照）、ロックされていることを外部から認識することができる。
【００３０】
なお、回転体２３の周縁部に凸部２３ｂが形成されているが、この凸部２３は、突起部１３ａがケース２２内より抜け出る速度とほぼ同じ速度で回転体２３が戻る様に演出するためのおもりである。
【００３１】
つぎに、このロック装置の動作について図３〜６を参照しながら説明をする。
【００３２】
まず、図４（ａ）および図５（ａ）に示されるように、引き戸３１を閉めて施錠していない状態では、第１の係合部材１０の突起部１３ａは、第１の箱体１２内に収納されている。このとき、解錠部材１５は図３（ａ）に示されるように、押し上げられた状態で第２の箱体１４の上部に位置している。また、第２の係合部材２０は、回転体２３の半円形部分が自重で下に下がった状態にあり、表示部は図６（ａ）に示されるように、青色表示部２３ｃが窓部２２ｂに現れ、解錠されていることを示している。
【００３３】
つぎに、図４（ｂ）および図５（ｂ）に示されるように、第１の係合部材１０の台座１３ｃが押されると、台座１３ｃに設けられた凸部１３ｄが第１の箱体１２の溝１２ｂに沿ってスライドし、突起部１３ａは持ち上げられて第１の天板１１の貫通孔１１ａを抜けて、第２の天板２１の嵌合孔２１ａ内に入って係止される。この際、図４（ｂ）に示されるように、突起部１３ａの侵入と共に、回転体２３が回転して、周縁部の赤色表示部２３ｄが窓部２２ｂに現れる（図６（ｂ）参照）。すなわち、中に人がいて施錠されていることを、外部（廊下側）から認識することができる。なお、この台座１３ｃを押しているとき、第１の係合部材１０の解錠部材１５は、シーソー部材１６によるシーソー運動により、底板１２ａ側に下がり、図２に示される状態になる。この状態から解錠するには、解錠部材１５を押し上げることにより、シーソー運動により台座１３ｃが下がり、突起部１３ａは第１の箱体１２の中に収容され、図４（ａ）の状態に戻って解錠される。すなわち、第１の係合部材１０の底板１２ａ側からの押圧操作のみにより、施錠および解錠を簡単に行うことができる。
【００３４】
なお、第１の係合部材１０および第２の係合部材２０を引き戸および壁側面３２ａに取り付けるには、引き戸３１の場合は、引き戸３１の取り付け位置に第１の係合部材１０または第２の係合部材２０（インセット引き戸の場合は第１の係合部材１０）の大きさに合せた貫通孔を形成して、その貫通孔内に装着すればよい。また、壁側面３２ａに取り付ける場合には、図２に示されるように、第１の係合部材１０または第２の係合部材２０（インセット引き戸の場合は第２の係合部材２０）の側面を壁側面３２ａに取り付ける必要があるため、第１の係合部材１０または第２の係合部材の側面３箇所を被覆するコ字型で両端に鍔部を有するサイドブラケット（横付けカバー）３５を形成して、そのブラケットの鍔部を壁側面に取り付けることにより簡単に取り付けられる。
【符号の説明】
【００３５】
１０    第１の係合部材
１１    第１の天板
１２    第１の箱体
１３    シャフト
１３ａ  突起部
１３ｃ  台座
１４    第２の箱体
１５    解錠部材
１６    シーソー部材
２０    第２の係合部材
２１    第２の天板
２１ａ  嵌合孔
２２    ケース
２２ａ  底板
２２ｂ  窓部
２２ｃ  貫通孔
２３    回転体
２３ａ  回転軸
２３ｃ  青色表示部
２３ｄ  赤色表示部
３１    引き戸
３２    壁
３２ａ  壁側面
【図１】
0005697392.tif 000002
【図２】
0005697392.tif 000003
【図３】
0005697392.tif 000004
【図４】
0005697392.tif 000005
【図５】
0005697392.tif 000006
【図６】
0005697392.tif 000007
【図７】
0005697392.tif 000008